(57)【特許請求の範囲】
【請求項１】
少なくとも一端面に一方の電極端子が突設された円筒形電池を複数個並列に収納する寸法・形状の凸型収納部を備えた透明性のブリスターパック本体と、前記ブリスターパック本体の裏面側に重ね合わされ、凸型収納部開口を封塞する支持体板とを有するブリスターパックであって、
前記凸型収納部の円筒形電池端面が対接する側壁に、隣接する円筒形電池の外周面に対接する突起部、及び突設した電極端子が嵌合する凹型部を設けてあることを特徴とするブリスターパック。
【発明の詳細な説明】
【０００１】
【発明の属する技術分野】
本発明は、ブリスターパックに係り、さらに詳しくは円筒型電池の店頭展示に適する商品パッケージ用のブリスターパックに関する。
【０００２】
【従来の技術】
たとえば単１ないし単５の円筒形電池製品は、見栄えのよい商品として、あるいは取扱・保管し易い商品として取り扱うために、所謂商品パッケージ化して市場に流通している。すなわち、収納ないし商品ケースの少なくとも一部を透明性に形成し、製品を透視できるように収納装着することによって製品の保護を図る一方、フックなどによる吊り下げ展示において、商品の見栄え（展示性）をよくする手段が採られている。
【０００３】
商品パッケージ化の具体的な手段としては、たとえば図４（ａ）に要部構成を透視・平面的に、図４（ｂ）に図４（ａ）のＡ−Ａ線に沿った断面的に、それぞれ示すような方式が採られている。すなわち、円筒形電池１を複数個並列に収納する寸法・形状の凸型収納部２を備えた透明性のブリスターパック本体３と、前記ブリスターパック本体３の裏面側に重ね合わされ、前記凸型収納部２の開口を封塞する支持体板４とを有する構成が採られている。なお、図４（ａ），（ｂ）おいて、５は吊り下げ用の穴である。
【０００４】
この場合、ブリスターパックの構成は、簡略であるが一方、凸型収納部２に収納・配置した円筒形電池１が、比較的摺動ないし遊動（回転性）的であるため、ロゴなどを印刷したラベルの印刷表示が位置ズレを起こしバラバラになり易く、印刷表示の統一観を欠き美観性などが損なわれる。すなわち、パッケージ化後の輸送・搬送、あるいは展示操作過程などで、ラベル付き円筒形電池１個々が揺動し、当初、ラベル印刷表示位置を所定の位置付けで、収納・配置して置いても、位置ズレが容易に起こって、見栄えの低下を招来する。
【０００５】
上記複数個の円筒形電池１をパッケージ化したときの問題、すなわち、並列的に円筒形電池１を凸型収納部２に収納・配置した場合の摺動ないし遊動（回転性）の防止対策として、並列化した円筒形電池１を収縮性フィルムで一次的にパッケージ化し、この一次的なパッケージを凸型収納部２に収納・配置する手段も試みられている。つまり、複数個の円筒形電池１を予め一括化し、摺動ないし遊動を抑制した形で、凸型収納部２に収納・配置することにより、ラベル印刷表示位置の位置ズレなどを防止することも知られている。
【０００６】
【発明が解決しようとする課題】
しかし、この方式は、一次的なパッケージ化を要するため、円筒型電池１の商品パッケージ化が多段的となり、また、操作も煩雑化する。加えて、パッケージ部材点数も増加するので、コストアップを招来する。こうした問題の解決策として、たとえば図５に断面的に示すような構成を採ったブリスターパッケージが開発されている。
【０００７】
つまり、図５に示すごとく、収納・配置する円筒形電池１数に合わせて凸型収納部２を凹凸面状２ａに設定し、各凹凸部２ａに円筒形電池１を嵌合的に配置・収納する方式である。すなわち、並列的に収納・配置する複数個の円筒形電池１個々を、その外周面に沿わせた壁面で係合的に支持・固定化して、遊動なとどを防止する方式である。
【０００８】
この改善策は、一次的なパッケージ化を省略でき、パッケージ化操作上の低コスト化及び生産性の向上に寄与するが実用上、なお、次のような問題を抱えている。すなわち、図５の構成の場合は、凹凸部２ａによって円筒形電池１が仕切られ、かつこの仕切りで遊動など防止されるが、凸型収納部２自体の寸法・設定が必然的に大きくなるため、ブリスターパックのコンパクト化が低下する。なお、収納配置された円筒形電池１の遊動など防止されるとはいえ、外周面方向からのみの抑えであるので、遊動など防止の確保が充分行えない場合がある。
【０００９】
上記改善策は、ブリスターパック本体の成形加工において、凸型収納部２の成形操作煩雑化の割に、並列的に配置・収納する円筒形電池１の遊動防止などを充分に抑制・防止できない。そして、パッケージ操作の煩雑化を回避しながら、より安定的な商品パッケージを維持・確保できるブリスターパックは、低コスト化、生産性及び商品見栄えの上から、実用上、期待されているのが現状である。
【００１０】
本発明は、上記事情に対処してなされたもので、パッケージ操作が容易で、かつ安定な円筒形電池商品パッケージを維持・確保できるブリスターパックの提供を目的とする。
【００１１】
【課題を解決するための手段】
【００１３】
本発明は、少なくとも一端面に一方の電極端子が突設された円筒形電池を複数個並列に収納する寸法・形状の凸型収納部を備えた透明性のブリスターパック本体と、前記ブリスターパック本体の裏面側に重ね合わされ、凸型収納部開口を封塞する支持体板とを有するブリスターパックであって、
前記凸型収納部の円筒形電池端面が対接する側壁に、隣接する円筒形電池の外周面に対接する突起部、及び突設した電極端子が嵌合する凹型部を設けてあることを特徴とするブリスターパックである。
【００１４】
本発明において、凸型収納部を有する透明性のブリスターパックないしブリスターパック本体は、たとえばポリスチレン樹脂、ポリエチレンテレフタレート樹脂などを素材として三次元に加工された一体的な成形体である。そして、凸型収納部は、収納する円筒形電池の種類・寸法形状などに対応し、一般的に、方形ないし長方形を基本とした形状に設定される。
【００１５】
ここで、前記並列的に複数個の円筒形電池を収納・配置する凸型収納部の構成は、次のように選択・設定された点で特徴付けられる。すなわち、円筒形電池端面が対接する側壁に、互いに隣接する円筒形電池の外周面と点的に対接する突起部が一対設けられ、さらにはその対接する側壁に、各円筒型電池の突設した電極端子が嵌合する凹型部が設けてあることとを骨子としている。なお、ブリスターパックないしブリスターパック本体は、支持体板の外周縁と重ね合わせ一体化するために、外周縁に所謂フランジ部を備えた構成を採っている。
【００１６】
本発明において、円筒形電池端面が対接する側壁に設けられた一対の突起部、及び電極端子が嵌合する凹型部は、収納・配置する円筒形電池の種類や規格に応じて決められる。すなわち、互いに隣接する円筒形電池の外周面と点的に対接する一対の突起部は、円筒形電池の外径寸法に対応して、隣接する円筒形電池の端面側外周縁ないし面に、同時に対接・係合する高さ及び径、間隔位置に選択・設定される。また、電極端子の嵌合凹型部も、円筒型電池の突設した電極端子の高さ及び形状、間隔位置に選択・設定される。
【００１７】
そして、これら突起部及び凹型部の形設は、ブリスターパックないしブリスターパック本体の成形工程、たとえば真空成形過程で凸型収納部を形成するとき、同時に成形することにより行われる。つまり、収納・配置する円筒形電池の種類や規格、収納・配置数に対応し型を使用し、真空成形することによって容易に製作できる。
【００１８】
本発明において、凸型収納部の開口を封塞する支持体板は、前記凸型収納部の開口を封塞する機能だけでなく、ブリスターパック本体を補強する機能や、裏面に商品説明などの記載ないし表示部の役割も呈する。すなわち、支持体板は、たとえばポリエチレンテレフタレート樹脂、ポリスチレン樹脂などの合成樹脂薄板類、あるいはコートボール紙などの厚紙類が主用されている。
【００１９】
本発明では、収納・配置する円筒形電池に対応して凸型収納部には、突起部及び嵌合用凹部が側壁面に設置されている。そして、収納・配置する円筒形電池は、前記突起部及び嵌合用凹部によって、端面及び外周縁面が係合・支持された構成を採る。つまり、並列的に収納・配置される個々の円筒形電池は、円周方向で支持された形態を採り、さらには、軸方向で係合するので、より確実に遊動などが防止・抑制され、安定した収納・配置の状態を保持することができ、見栄えのよい商品展示用のブリスターパック機能を呈する。
【００２０】
【発明の実施態様】
以下、図１（ａ），（ｂ），（ｃ），（ｄ），（ｅ）、図２及び図３を参照して実施例を説明する。
【００２１】
図１（ａ），（ｂ），（ｃ），（ｄ），（ｅ）は、第１の実施例に係る円筒形電池（製品）用ブリスターパックの要部構成を示すもので、図１（ａ）は平面図、図１（ｂ）は図１（ａ）のＡ−Ａ線に沿った断面図、図１（ｃ）はＢ−Ｂ線に沿った断面図、図１（ｄ）はＣ−Ｃ線に沿った断面図、図１（ｅ）は一部を拡大して示す断面図である。
【００２２】
図１（ａ），（ｂ），（ｃ），（ｄ），（ｅ）において、６は少なくとも一端面に一方の電極端子が突設された円筒形電池を複数個並列に収納する寸法・形状の凸型収納部７を備えた透明性のブリスターパックないしブリスターパック本体、８は前記ブリスターパック６の裏面側に重ね合わされ、前記凸型収納部７の開口を封塞する支持体板、９は吊り下げ用穴である。ここで、ブリスターパック６は、たとえばポリエチレンテレフタレート樹脂を素材とした真空成型によって、周縁部にフランジ部６ａを付けて形成されている。なお、ブリスターパック６の成形は、圧空成形加工など、他の成形法でもよい。
【００２３】
また、７ａは前記凸型収納部７の円筒形電池端面が対接する側壁７ｂ，７ｂ′に、隣接する円筒形電池の外周面に対接する突起部、７ｃは突設した電極端子が嵌合する凹型部である。ここで、凸型収納部７は、その開口端縁部７ｄが長さ５８．８ｍｍ、幅６５±０．５ｍｍ、深さ１４．７ｍｍである。そして、その凸型収納部７の側壁７ｂ，７ｂ′に設けられた突起部７ａは、半球状に形成され半径２．２５ｍｍ、ピッチ間隔１４．２ｍｍで、開口端縁部に隣接し、かつ並列的に配置される円筒形電池の軸方向センター中間位置に形設されている。また、凹型部７ｃは、ピッチ間隔１４．２ｍｍ、深さ１０．５ｍｍ、開口端縁部側の幅が１４．２ｍｍで、先端部が半円状に閉止された構造に形設されている。
【００２４】
次に、上記構成のブリスターパック６を使用した商品パックの例を説明する。このブリスターパック６の凸型収納部７に対する円筒形電池の収納・配置は、第１の円筒形電池の両端側外周縁部を対応する突起部７ａと係合してから、突出した電極端子を凹型部７ｃに位置決め嵌合する。引き続き、同様の手順で、順次、第２、第３の円筒形電池を並列的に収納・配置する。
【００２５】
上記電極端子と凹型部７ｃとの嵌合、及び外周縁部と突起部７ａとの係合によって、円筒形電池が支持・固定される。つまり、円筒形電池は、予め選択設定してあるラベルの印刷表示を揃えて収納・配置すると、遊動などを起こさない状態に、固定・支持され、印刷表示が統一して、良好な美観性ないし見栄えを維持することができる。また、裏面側に支持体板８を張り合わせなくとも、前記固定・支持の状態を保持することもできるので、軽量化や部材の低減（省資源）などにも寄与する。なお、支持体板８の張り合わせを省略できることにより、使用済みの円筒形電池を仮に収容することも可能となり、あるいは商品パッケージとして再利用も可能と成って、省資源などの点でも有利である。
【００２６】
図２は、第２の実施例に係る円筒形電池（製品）用ブリスターパックの要部構成を示す透視的な平面図である。図２において、６は少なくとも一端面に一方の電極端子が突設された円筒形電池を複数個並列に収納する寸法・形状の凸型収納部７を備えた透明性のブリスターパックないしブリスターパック本体、８は前記ブリスターパック６の裏面側に重ね合わされ、前記凸型収納部７の開口を封塞する支持体板、９は吊り下げ用穴である。ここで、ブリスターパック６は、たとえばポリエチレンテレフタレート樹脂を素材とした真空成型によって、周縁部にフランジ部６ａを付けて形成されている。なお、ブリスターパック６の成形は、圧空成形加工など、他の成形法でもよい。
【００２７】
また、７ａは前記凸型収納部７の円筒形電池端面が対接する側壁７ｂ，７ｂ′に、隣接する円筒形電池の外周面に対接する突起部である。ここで、凸型収納部７は、その開口端縁部が長さ５８．８ｍｍ、幅６５±０．５ｍｍ、深さ１４．７ｍｍである。そして、その凸型収納部７の側壁７ｂ，７ｂ′に設けられた突起部７ａは、略角柱状に形成され辺２．２５ｍｍ、ピッチ間隔１４．２ｍｍで、開口端縁部に隣接し、かつ並列的に配置される円筒形電池の軸方向センター中間位置に形設されている。
【００２８】
つまり、この第２の実施例は、電極端子が嵌合する凹型部７ｃの形設を省略し、両端面が平坦型の円筒形電池を収納する構成とした他は、第１の実施例の場合と基本的には、同様の構成を採っている。そして、この円筒形電池用ブリスターパック６の凸型収納部７に対する円筒形電池の並列的な配置・装着は、第１の実施例の場合に準じて行われる。
【００２９】
なお、上記実施例では、凸型収納部７の側壁７ｂ，７ｂ′に設けられた突起部７ａの形状を半球状、もしくは角柱状にしたが、図３に互いに異なる態様を斜視的に示すような突起部７ａとしてもよい。すなわち、並列的に配置した隣接する円筒形電池同士を組として、凸型収納部７内側へ抑圧・固定支持するように機能するならば、その形状・構造など特に限定されない。
【００３０】
本発明は、上記実施例に限定されるものでなく、発明の主旨を逸脱しない範囲で、いろいろの変形を採ることができる。たとえば収納・配置する円筒形電池の種類や規格によって、凸型収納部の構造を適宜変更すること、あるいはブリスターパックの材質など適宜選択・設定できる
【００３１】
【発明の効果】
本発明によれば、ブリスターパックは、凸型収納部に対する円筒形電池の並列的な配置・収納が容易であるだけでなく、配置・収納された円筒形電池の遊動・位置ズレの発生を防止・抑制する。つまり、低コスト化、コンパクト性の確保、生産性及び省資源化などを図れるだけでなく、円筒形電池の向きや位置を安定した状態で維持する商品パッケージ化が可能となるため、実用上多くの利点をもたらすと言える。
【図面の簡単な説明】
【図１】（ａ）は第１の実施例に係るブリスターパックの要部構成を示す透視的平面図、（ｂ）は（ａ）のＡ−Ａ線に沿った断面図、（ｃ）は（ａ）のＢ−Ｂ線に沿った断面図、（ｄ）は（ａ）のＣ−Ｃ線に沿った断面図、（ｅ）は（ａ）の一部を拡大して示す断面図。
【図２】第２の実施例に係るブリスターパックの要部構成を示す透視的平面図。
【図３】実施例に係るブリスターパックの凸型収納部側壁に設けられた突起部の他の異なる構造例を示す要部斜視図。
【図４】従来のブリスターパックの要部構成を示すもので、（ａ）は透視的平面図、（ｂ）は（ａ）のＡ−Ａ線に沿った断面図。
【図５】従来のブリスターパックの互いに異なる要部構成を示す断面図。
【符号の説明】
６……ブリスターパック本体
６ａ……フランジ
７……凸型収納部
７ａ……突起部
７ｂ，７ｂ′……側壁
７ｃ……凹型部
７ｄ……開口端縁部
８……支持体板
９……吊り下げ用穴
【図１】
0003919502.tif 000002
【図２】
0003919502.tif 000003
【図３】
0003919502.tif 000004
【図４】
0003919502.tif 000005
【図５】
0003919502.tif 000006